(57)【特許請求の範囲】
【請求項１】
使い捨て衛生用品（１）を折り畳まれた状態で包装する方法であって、
前記使い捨て衛生用品（１）が前方部（６）、後方部（５）、及びそれらの間の股部（７）を有し、
ベルト（１６，１７）は、それぞれが横断方向において、前記後方部（５）の各側部の各外側端部から外側に向けて延在されることができる２つの部分（１６，１７）を含んでおり、ベルト部（１６，１７）が互いに重複している状態で前記後方部（５）に配置され、
前記前方部（６）を前記ベルト（１６，１７）に開放可能に固定するための手段（１８，１９）は、前記前方部の各側部に配置され、
前記方法は、折り畳まれた使い捨て衛生用品が矩形形状及び所望される寸法を達成するように、前記使い捨て衛生用品を折り畳むことを含み、
前記使い捨て衛生用品を折り畳まれた状態で包装する方法における第１のステップとして、前記前方部（６）に配置された固定するための前記手段（１８，１９）が、前記後方部（５）に配置された重複している前記ベルト部（１６，１７）のうちの１つに付着されるように、互いに向けて前記前方部（６）及び前記後方部（５）を折り畳むことを特徴とする、使い捨て衛生用品（１）を折り畳まれた状態で包装する方法。
【請求項２】
前記使い捨て衛生用品は、砂時計形状を有し、
一度折り畳まれた衛生用品における対向した側部は、前記折り畳まれた衛生用品が矩形形状を達成するように、長手方向折り畳み線に関して折り畳まれることを特徴とする請求項１に記載の、使い捨て衛生用品（１）を折り畳まれた状態で包装する方法。
【請求項３】
前記使い捨て衛生用品（１）は、前記一度折り畳まれた衛生用品の対向した側部を折り畳むステップより前に又は該折り畳むステップ後に、横断方向線に関して折り畳まれることを特徴とする請求項２に記載の、使い捨て衛生用品（１）を折り畳まれた状態で包装する方法。
【請求項４】
前方部（６）、後方部（５）、及びそれらの間の股部（７）を有する使い捨て衛生用品（１）の折り畳まれた状態での包装であって、
ベルト（１６，１７）は、それぞれが横断方向において、前記後方部（５）の各側部分の外側端部から外側に向けて延在されることができる２つの部分（１６，１７）を含んでおり、ベルト部（１６、１７）が互いに重複している状態で前記後方部（５）に配置されており、
前記前方部（６）を前記ベルト（１６，１７）に開放可能に固定するための手段（１８，１９）は、前記前方部の各側部に配置されており、
前記衛生用品は、前記折り畳まれた衛生用品が矩形形状及び所望される寸法を達成するように折り畳まれており、
前記固定するための手段（１８，１９）が、前記重複しているベルト部（１６，１７）のうちの１つの外側に付着されているように、前記前方部（６）及び前記後方部（５）は、互いに向き合って折り畳まれていることを特徴とする、使い捨て衛生用品（１）の折り畳まれた状態での包装。
【請求項５】
前記使い捨て衛生用品（１）が、展開された状態において、砂時計形状を有し、
前記折り畳まれた衛生用品が矩形形状を達成するように、前記長手方向折り畳み線に関して折り畳まれていることを特徴とする請求項４に記載の、使い捨て衛生用品（１）の折り畳まれた状態の包装。
【発明の詳細な説明】
【技術分野】
【０００１】
本願発明は、使い捨て衛生用品を折り畳まれた状態で包装する方法（method of package folding）であって、前記使い捨て衛生用品が前方部、後方部、及びそれらの間の股部を有し、ベルトは、それぞれが横断方向において、前記後方部の各側部の各外側端部から外側に向けて延在されることができる２つの部分を含んでおり、ベルト部が互いに重複している状態で前記後方部に配置され、前記前方部を前記ベルトに開放可能に固定するための手段は、前記前方部の各側部に配置され、前記方法は、折り畳まれた前記使い捨て衛生用品が矩形形状及び所望される寸法を達成するように、前記使い捨て衛生用品を折り畳むことを含む、使い捨て衛生用品を折り畳まれた状態で包装する方法に関連する。
【背景技術】
【０００２】
今日、面ファスナーは、失禁プロテクタ及びおむつなどの使い捨て衛生用品でしばしば使用されている。不織布材料の特定の種類に付着するフック固定要素がそのような衛生用品において使用される場合も多く、それらの特定の種類の不織布は、例えば、おむつの複合背面シートにおける外側層又は失禁プロテクタにおけるベルトの外側層のために使用される場合も多い。そのような衛生用品を折り畳まれた状態で包装する場合に生じる可能性がある問題は、フック固定要素におけるフックが、フック固定要素と協働するように構成された特定の種類の不織布材料以外の他の不織布材料、例えば、失禁プロテクタ又はおむつの表面シートに付着するリスクが存在することとされる。そのような付着が起こる場合に、議論されているフック固定要素におけるフック又は不織布材料のいずれかが損傷され、又はさらにフック又は不織布材料の破壊が生じるとのリスクが存在する。
【０００３】
ベルトを有している失禁プロテクタの折り畳まれた状態での包装で観察された問題は、使用者がそのようなプロテクタの適用の仕方を理解するとの問題を有することである。
【発明の概要】
【発明が解決しようとする課題】
【０００４】
本願発明の目的は、上記のリスクを除外することであり、且つ上記の問題を減少させることである。
【課題を解決するための手段】
【０００５】
この目的は、使い捨て衛生用品を折り畳まれた状態で包装する方法であって、前記使い捨て衛生用品が前方部、後方部、及びそれらの間の股部を有し、ベルトは、それぞれが横断方向において、前記後方部の各側部の各外側端部から外側に向けて延在されることができる２つの部分を含んでおり、ベルト部が互いに重複している状態で前記後方部に配置され、前記前方部を前記ベルトに開放可能に固定するための手段は、前記前方部の各側部に配置され、前記方法は、折り畳まれた前記使い捨て衛生用品が矩形形状及び所望される寸法を達成するように、前記使い捨て衛生用品を折り畳むことを含み、前記使い捨て衛生用品を折り畳まれた状態で包装する方法における第１のステップとして、前記前方部に配置された固定するための前記手段が前記後方部に配置された重複している前記ベルト部のうちの１つに取り付けられるように、互いに向けて前記前方部及び前記後方部を折り畳むことを特徴とする、使い捨て衛生用品を折り畳む包装方法によって達成される。衛生用品の側部を折り畳む前に、前方部に配置された固定するための手段をベルトに付着させることによって、固定するための手段が表面シートに付着される状態になるリスクは、除外される。さらに、ベルトに対する前方部上の固定するための手段の付着は、折り畳まれた状態の衛生用品の包装を展開すること及び、どのようにそれらの固定するための手段が付着されるべきかを使用者に示し、且つ使用者がどのように衛生用品が適用されるべきかを理解するのに役立ち、特に、前記衛生用品の前記前方部に配置された固定するための手段が前記ベルトの外側に付着されるべきであることを理解するのに役立つ。
【０００６】
好ましい実施形態において、前記使い捨て衛生用品は、砂時計形状を有し、一度折り畳まれた衛生用品の対向した側部は、前記折り畳まれた衛生用品が矩形形状を達成するように、長手方向折り畳み線に関して折り畳まれる。前記使い捨て衛生用品は、前記一度折り畳まれた衛生用品の対向した側部を折り畳むステップより前に又は該折り畳むステップ後に、横断方向線に関して折り畳まれる。
【０００７】
本願発明はまた、前方部、後方部、及びそれらの間の股部を有する使い捨て衛生用品の折り畳まれた状態での包装（package folded disposable sanitary article）であって、ベルトは、それぞれが横断方向において、前記後方部の各側部分の外側端部から外側に向けて延在されることができる２つの部分を含んでおり、ベルト部が互いに重複している状態で前記後方部に配置され、前記前方部を前記ベルトに開放可能に固定するための手段は、前記衛生用品は、前記折り畳まれた衛生用品が矩形形状及び所望される寸法を達成するように折り畳まれ、前記前方部及び前記後方部は、互いに向き合って折り畳まれ、それによって、前記前方部に配置された固定するための前記手段が、前記後方部に配置された重複している前記ベルト部のうちの１つに付着されることを特徴とする、使い捨て衛生用品の折り畳まれた状態での包装に関連する。
【０００８】
好ましい実施形態において、衛生用品は、展開された状態で砂時計形状を有し、折り畳まれた衛生用品が矩形形状を達成するように、一度折り畳まれた衛生用品の対向した側部が長手方向折り畳み線に関して折り畳まれる。
【０００９】
本願発明は次に、同封された図面を参照して記載されるであろう。
【図面の簡単な説明】
【００１０】
【図１】失禁プロテクタの弾性部が伸張された状態で、平面図における失禁プロテクタの実施形態を図式的に開示する図である。
【図２ａ】本願発明の好ましい実施形態による図１における使い捨て失禁プロテクタを折り畳まれた状態で包装する方法における複数のステップを図式的に図示する図である。
【図２ｂ】本願発明の好ましい実施形態による図１における使い捨て失禁プロテクタを折り畳まれた状態で包装する方法における複数のステップを図式的に図示する図である。
【図２ｃ】本願発明の好ましい実施形態による図１における使い捨て失禁プロテクタを折り畳まれた状態で包装する方法における複数のステップを図式的に図示する図である。
【図２ｄ】本願発明の好ましい実施形態による図１における使い捨て失禁プロテクタを折り畳まれた状態で包装する方法における複数のステップを図式的に図示する図である。
【図２ｅ】本願発明の好ましい実施形態による図１における使い捨て失禁プロテクタを折り畳まれた状態で包装する方法における複数のステップを図式的に図示する図である。
【発明を実施するための形態】
【００１１】
図１において、失禁プロテクタ１は、上方からの平面図において図式的に開示されている。失禁プロテクタは、表面シート３と背面シート４との間に取り囲まれた吸収体２を含む。失禁プロテクタは、後方部５と、前方部６と、それらの間に延在している股部７と、を含む。失禁プロテクタはまた、脚開口部８、９と、脚弾性部１０、１１と、前方部及び後方部のそれぞれにおいて位置する腰弾性部１２、１３と、を含む。表面シート３からの液体の横方向の漏れを防止するためのバリアフラップ１４、１５は、失禁プロテクタ１の長手方向に延在しており、該バリアフラップ１４、１５は、互いに向かい合ってその長手方向の縁部に沿って弾性要素を有する。脚開口部の存在によって、砂時計形状は、失禁プロテクタに対して付与される。
【００１２】
失禁プロテクタ１はまた、ベルト部１６、１７を含み、該ベルト部１６、１７は、図１に図示されるように、失禁プロテクタの後方部５から横方向において、すなわち後方部から前方部に延在している長手方向に対する横断方向において、外向きに延在することができる。さらに、フックを含んでいる固定要素１８、１９は、失禁プロテクタの前方部６の外側角部において、その内側に配置される、すなわち表面シート３に固定される。フックを含んでいる固定要素２０は、ベルト部１６、１７のうちの一方の外側端部の内側に固定される。現在の場合において、該固定要素２０は、ベルト部１６の外側端部の内側に固定される。それらの固定要素は、失禁プロテクタが使用者に適用される場合に、ベルト部の外側側部に付着されるものである。この目的のために、ベルト部１７の外側側部は、該ベルト部１７の外側側部にフック要素２０を調整可能に付着されるためのループ要素を備える。ベルト部１６、１７は、例えば、フック要素が、ベルト部の少なくとも１部に沿って延在しているベルト部の外側に固定されたループ要素を付着する、又はループ要素を有する種類の不織布から構成することができる。
【００１３】
図１において、失禁プロテクタ１は、全ての弾性要素が伸張した状態で示される。
【００１４】
失禁プロテクタのために使用された材料は、周知の失禁プロテクタ又はおむつにおける類似の構成要素のために使用されるように周知であるそれらの材料のいずれかとされることができる。
【００１５】
失禁プロテクタ１は、使用者の背中に失禁プロテクタ１の後方部を配置し、腰の周りにベルト部１６、１７を置くことによって適用されるべきであり、ベルト部１７の外側側部に固定要素２０を付着するものである。適用されたベルトは次いで、必要ならば、周囲方向において調節され、それによって、失禁プロテクタ１の前方部６が使用者の脚の間に配置される。その後、前方部は、使用者によって把持され、上方に移動される。前方部の腰部分は次いで、延伸された状態で保持され、フック固定要素１８、１９は、適用されたベルトの外側に付着される。
【００１６】
折り畳まれた失禁プロテクタの周知な包装における問題は、フック固定要素１８、１９が表面シート上に折り畳まれることである。それによって、それらの固定要素１８、１９におけるフックが、フック固定要素と協働するように意図されていない種類の不織布材料からなる表面シートに付着するであろうとのリスクが存在する。これは、固定要素におけるフックの破壊又は表面シートの破壊に導く場合がある。
【００１７】
新しい使用者が、失禁プロテクタ１の適用方法を理解する上での問題を有することはまた、示されている。多くの場合において、彼らは、オールインワン型のおむつ（all-in-one diaper）と同じ方法で、失禁プロテクタを適用しようとする。これは、折り畳まれた失禁プロテクタの周知な包装において、ベルト部が後方部に亘って折り畳まれており、使用者にベルト部としての容易に認識されることができないとの事実に部分的に起因していると考えられる。
【００１８】
本願発明によれば、それらの問題は、図２に図示された失禁プロテクタを折り畳まれた状態で包装することによって、解決される、又は少なくとも低減される。
【００１９】
図２において、失禁プロテクタ１を折り畳まれた状態で包装することにおける複数のステップは、図式的に図示される。
【００２０】
図２ａは、その製造後の失禁プロテクタ１を示す。製造中に、ベルト部１６、１７は、後方部５に亘って適用されており、該ベルト部１６、１７は図２ａに示されるように互いに重なっている。ベルト部１６は、次いで、ベルト部１７を完全に覆っており、フック固定要素２０はベルト部１７の外側に付着される。
【００２１】
図２ｂ及び図２ｃにおける次のステップにおいて、前方部６及び後方部５は、股部の中間における横断方向折り畳み線に関して互いに向けて折り畳まれる。図２ｂにおいて、この折り畳みステップの約半分は実施され、図２ｃにおいて、この折り畳みステップは完全に実施される。横断方向折り畳み線は選択される。それによって、フック固定要素１８、１９がベルト部１６の外側に対して押圧されるであろう。それのために、失禁プロテクタ１は、図２ｃから明らかなであるように、後方部５及び前方部６の外側自由端縁部が互いに平坦な状態になる（lie flush）であろうことを意味する。
【００２２】
図２ｄに示された次の折り畳みステップにおいて、一度折り畳まれた失禁プロテクタ１は、図２ｃにおいて鎖線によって図式的に示された折り畳み線に関して一度折り畳まれた失禁プロテクタの下側に向けて、一度折り畳まれた失禁プロテクタの横方向側部を折り畳むことによって矩形形状に折り畳まれる。「下側」との用語によって、図２の観察者によって理解されるものとして意味している。
【００２３】
最終的に、二度折り畳まれた失禁プロテクタ１は、図２ｅに示されるように、横断方向線に関して再度折り畳まれる。
【００２４】
明らかに、一度折り畳まれた失禁プロテクタの横方向側部を折り畳むステップは、その上、図２ｄにおいて示されるように、反対方向において、すなわち一度折り畳まれた失禁プロテクタの上側に向けて実施されることができる。そのような場合において、図２ｅにおいて図示された折り畳みステップが、反対方向において実施され、それによって、上側に向けて折り畳まれた横方向側部が折り畳まれたプロテクタの包装の外側に存在していることは好ましいが、それに限定されない。
【００２５】
その後、失禁プロテクタ１の折り畳まれた状態での包装は、スタッカー（stacker）及びバッグ充填機に供給される。
【００２６】
図２ｂ及び図２ｃに図示された折り畳みステップによって、フック固定要素１８、１９がベルト部１６の外側に付着されることは、達成される。それによって、固定要素１８、１９が表面シートに不幸にも付着されるであろうリスク、及びフック又は表面シートに対する損傷を生じるであろうリスクは、除外される。
【００２７】
さらに、失禁プロテクタ１がパッケージから取り出される場合に、その展開は、図２ｃにおいて示された一度折り畳まれた失禁プロテクタに導くであろう。一度折り畳まれた状態における失禁プロテクタ１のパンツ型の構成は、失禁プロテクタ１が後で使用者に正しく適用されるであろう構成に基本的に対応する。失禁プロテクタ１を展開している使用者は、それによってパンツ型の構成を得るために、失禁プロテクタの適用方法について示唆される。使用者が、失禁プロテクタを図２ａに示された状態に展開するために、ベルト部１６からフック固定要素１８、１９を開放しなければならないので、使用者は、固定要素１８，１９がベルト部１６の外側にうまく付着することを少なくとも学ぶであろう。この知識は、失禁プロテクタ１がどのように適用されるべきかを理解することを容易にさせるであろう。
【００２８】
失禁プロテクタ１を折り畳まれた状態での包装の図示された実施形態において、失禁プロテクタの矩形形状を得るように、一度折り畳まれたプロテクタの横方向側部を折り畳む図２ｄによるステップは、失禁プロテクタを所望される矩形状の寸法に折り畳む最終的なステップより前に実施される。しかしながら、図２ｄ及び図２ｅに図示された折り畳みステップは、位置を変えることができる、すなわち、図２ｅに図示された、所望される寸法を得るために、横断方向の線に関する失禁プロテクタの折り畳みは、矩形形状を得るために、二度折り畳まれた失禁プロテクタの横方向側部において折り畳む最終的な折り畳みステップより前に実施されることができる。折り畳まれた失禁プロテクタの包装のより小さな寸法が所望される場合に、図２ａ〜図２ｂに示されたステップの後で、さらなる折り畳みステップを実施することは、当然ながら可能とされる。
【００２９】
複数の折り畳みステップを実施するための装置は、それ自体が周知であり、本願発明の理解を容易にするために記載される必要がない。それは、失禁プロテクタ１が製造中に、且つ最終的な折り畳みステップが実施されるまで、その弾性要素が伸張された状態で保持されることに注目させるのに十分である。有利には、これは、失禁プロテクタの背面シートに作用する副圧によって、又はクランプ装置又は同様のものによって、達成される。
【００３０】
記載された実施形態は、本願発明の技術的範囲を逸脱することなく変更されることができる。例えば、失禁プロテクタは、他の形状を有することができる。例えば、脚開口部を有していない形状、及びバリアフラップを有していない形状を有することができる。ベルト部は、一片の材料で製造される必要がないが、弾性部分を有することができる。固定要素は、フックアンドループ要素とされる必要がないが、たとえこれが好ましい場合でも、前方部上の接着剤パッチ、及び該接着剤パッチが開放可能に付着されることができるベルト部上のプラスチック領域とされることができる。ベルト部は、他の寸法を有することができ、他の方法で後方部に付着されることができる。ベルト部は、別個の要素とされる必要がないが、介在部によって互いに接続されることができる。複数の部品の部分が互いに重複するように、後方部に亘ってベルト部を折り畳むステップはそれ故に、製造プロセスの一部とされることができる。衛生用品が所望される寸法を達成する場合に、矩形形状を得るために、一度折り畳まれた衛生用品の横方向側部の折り畳み後に、記載された実施形態におけるさらなる折り畳みステップは削除される。本願発明の保護の技術的範囲は、同封した特許請求の範囲の内容によってのみ限られるであろう。
【符号の説明】
【００３１】
１  失禁プロテクタ
２  吸収体
３  表面シート
４  背面シート
５  後方部
６  前方部
７  股部
８  脚開口部
９  脚開口部
１０  脚弾性部
１１  脚弾性部
１２  腰弾性部
１３  腰弾性部
１４  バリアフラップ
１５  バリアフラップ
１６  ベルト部
１７  ベルト部
１８  固定要素、フック固定要素
１９  固定要素、フック固定要素
２０  固定要素
【図１】
0005260753.tif 000002
【図２ａ】
0005260753.tif 000003
【図２ｂ】
0005260753.tif 000004
【図２ｃ】
0005260753.tif 000005
【図２ｄ】
0005260753.tif 000006
【図２ｅ】
0005260753.tif 000007